(57)【要約】      （修正有）【課題】電子カードをスピーディに抜き差しできるコネクター構造を提供する。【解決手段】コネクター構造はベース、ベースにそれぞれ設置されるスライド片２０、係合固定スライド片３０、プッシュアセンブリ４０を有する。ベースは電子カードを前方から後方へと挿入する収容設置空間を有し、スライド片２０はベースに相対して前後方向の直線運動を行い、係合固定スライド片３０はベースに相対して水平方向に垂直な直線運動を行う。係合固定スライド片３０一端には第一、第二嵌着縁３１、３２を設置し、第一嵌着縁はスライド片２０を第一位置に嵌着固定し、第二着縁３２はスライド片２０を第二位置に嵌着固定する。第一位置は第二位置に比べ、収容設置空間の前方に近い。プッシュアセンブリ４０と係合固定スライド片３０とは連接し、係合固定スライド片３０を制御し、ベースに相対して水平方向の直線運動を行わせる。【選択図】図５
0003213286.tif 000002
【実用新案登録請求の範囲】
【請求項１】
コネクター構造であって、ベース、スライド片、係合固定スライド片、プッシュアセンブリにより構成され、
前記ベースは、電子カードを挿入する収容設置空間を有し、前記ベースの両側には、それぞれ側壁を形成し、一方の側壁の底縁には、位置限定部を設置し、前記位置限定部は、第一スライド槽を有し、前記第一スライド槽上には、係止壁を設置し、
前記スライド片は、前記ベースの片側に設置し、前記スライド片には、第一係止片及び第一弾性部材を設置し、前記第一弾性部材の片側は、前記ベース反対側に固定され、前記スライド片上に設置され、前記第一係止片は、前記電子カードに接触して押し、前記スライド片を連動して、前記ベース上で前後方向の直線運動を行わせ、前記第一弾性部材は、直線運動の回復力を提供し、
前記係合固定スライド片は、前記ベースの位置限定部上方に組み立てられ、前記ベース上で、水平方向のスライド移動を生じ、前記係合固定スライド片は、第一、第二嵌着縁を有し、前記第一嵌着縁により、前記スライド片は第一位置に定位され、前記第二嵌着縁は前記スライド片を第二位置に嵌着固定し、前記係合固定スライド片下方には、連動部を突出状に設置し、
前記プッシュアセンブリは、前記ベースの位置限定部に組み立て、前記プッシュアセンブリには、第二スライド槽を設置し、前記第二スライド槽内には、第一定位ブロックを有し、前記第一定位ブロックは、第二弾性部材に嵌めて設置し、前記第二スライド槽内には、連動ブロックを設置し、前記連動ブロックには、前記係合固定スライド片の連動部に嵌合し、前記係合固定スライド片の水平スライド移動を連動し、前記第二弾性縁は、前記第一スライド槽の係止壁に接触して押し、前記プッシュアセンブリに水平スライド移動の回復力を提供することを特徴とするコネクター構造。
【請求項２】
前記係合固定スライド片と前記ベースとの間には、第三弾性部材を設置し、これにより前記係合固定スライド片は、水平方向運動の回復力を生じることを特徴とする請求項１に記載のコネクター構造。
【請求項３】
前記ベース上には、第二定位ブロックを設置し、
前記係合固定スライド片は、第三スライド槽を有し、
前記第三スライド槽は、前記第二定位ブロックを通過して設置され、前記係合固定スライド片を案内し、前記ベース上で水平スライド移動を行わせることを特徴とする請求項１或いは２に記載のコネクター構造。
【請求項４】
前記係合固定スライド片の片側上に、係止片を設置することを特徴とする請求項１に記載のコネクター構造。
【請求項５】
前記位置限定部には、第一導槽を設置し、
前記プッシュアセンブリには、前記第一導槽に対応するスライド動縁を設置し、
両者の対応により、前記プッシュアセンブリは、前記位置限定部上で安定してスライド移動できることを特徴とする請求項１に記載のコネクター構造。
【請求項６】
前記プッシュアセンブリの表面には、プッシュボタンを更に有することを特徴とする請求項１或いは５に記載のコネクター構造。
【考案の詳細な説明】
【技術分野】
【０００１】
本考案はコネクター構造に関し、特に電子カードを便利に抜き差しできるコネクター構造に関する。
【背景技術】
【０００２】
電子カード本体内部にはＩＣが設置され、ＩＣ情報を自由に読み取り、書き込みでき、こうして、いわゆるＩＣカードが構成される。
これは、コネクターを使用し情報の読み取り或いは書き込みが行われる。
【０００３】
かつて一般のＩＣカードはコネクターに接続後、機体のＩＣカード挿入スロット面上に陥没位置があったため、ＩＣカードの一部は外部に露出していた。
そのため、ＩＣカードを取り出す際には、外部に露出しているＩＣカードのわずかな部分をしっかりと摘まみ、引き抜く必要があった。
この種の構造は簡単ではあるが、ＩＣカードをコネクターに挿入後、緊密な抜き差し力を保持し、ＩＣカードが震動を受け飛び出し、システムの不安定を招かないよう防止しなければならないため、引き抜き荷重は最大で２．５Ｋｇにもなっている。
そのため、てこの原理を用いて引き抜かなければ、使用者は不適応を感じてしまう。
しかも、この種の完全に力に頼る方式は、高い頻度での引き抜き動作及び力を制御できない状況下では、抜き出しの方向が、挿入スロットの方向と平行でないなら、ＩＣカード本体を損壊してしまう恐れがある。
しかも、ＩＣカードと挿入接続する連接端内の導電金属の接触性も影響を受け、次回の挿入接続時に、接触不良の状況が起きかねない。
【０００４】
上述の問題を解決するため、本考案者は特許文献１のコネクターを提出した。
図１、２図に示す通り、同構造は、コネクターに電子カード９１を插入する時、電子カード９１によりスライド片９２を連動し、前から後ろへと直線運動し、これによりスライド片９２は、第一位置Ｈ１から第二位置Ｈ２へと移動する。
この時、係合固定スライド片９３の第二嵌着辺は、スライド片９２を第二位置Ｈ２に固定し、これにより電子カード９１は、挿入接続動作を完成する。
電子カード９１を抜き取る際には、プッシュアセンブリ９４を押し、係合固定スライド片９３に直線運動を行わせ、スライド片９２に対する嵌着を解除する。
これにより、スライド片９２は後ろから前へと直線運動を行い、スライド片９２は第二位置Ｈ２から第一位置Ｈ１へと移動し、同時に電子カード９１を連動して、抜き取りの動作を完成する。
同製品は市場で大歓迎されているが、その構造は使用においてヒューマンファクターテクノロジーに沿っていない設計がある。
【先行技術文献】
【特許文献】
【０００５】
【特許文献１】台湾実用新案第Ｍ４９６８６７号明細書
【考案の概要】
【考案が解決しようとする課題】
【０００６】
前記先行技術には、使用において、構造上にヒューマンファクターテクノロジーに沿っていないという欠点がある。
【課題を解決するための手段】
【０００７】
本考案は横向きロック解除が可能なコネクターで、電子カードをスピーディに抜き差しできるコネクター構造に関する。
【０００８】
本考案によるコネクター構造は、ベース、スライド片、係合固定スライド片及びプッシュアセンブリにより構成される。
該ベースは、電子カードを挿入する収容設置空間を有する。
該ベースの両側には、それぞれ側壁を形成し、一方の側壁の底縁には、位置限定部を設置し、該位置限定部は、第一スライド槽を有し、該第一スライド槽上には、係止壁を設置する。
該スライド片は、該ベースの片側に設置し、該スライド片には、第一係止片及び第一弾性部材を設置する。
該第一弾性部材の片側は、該ベース反対側に固定され、該スライド片上に設置される。
該第一係止片は、該電子カードに接触して押し、該スライド片を連動して、該ベース上で前後方向の直線運動を行わせる。
該第一弾性部材は、直線運動の回復力を提供する。
該係合固定スライド片は、該ベースの位置限定部上方に組み立てられ、該ベース上で、水平方向のスライド移動を生じる。
該係合固定スライド片は、第一、第二嵌着縁を有する。
該第一着縁により、該スライド片は第一位置に定位され、該第二嵌着縁は、該スライド片を第二位置に嵌着固定し、該係合固定スライド片下方には、連動部を突出状に設置する。
該プッシュアセンブリは、該ベースの位置限定部に組み立てる。
該プッシュアセンブリには、第二スライド槽を設置する。
該第二スライド槽内には、第一定位ブロックを有する。
該第一定位ブロックは、第二弾性部材に嵌めて設置し、該第二スライド槽内には、連動ブロックを設置する。
該連動ブロックには、該係合固定スライド片の連動部に嵌合し、該係合固定スライド片の水平スライド移動を連動する。
該第二弾性部材は該第一スライド槽の係止壁に接触して押し、該プッシュアセンブリに水平スライド移動の回復力を提供する。
【０００９】
一実施形態において、該係合固定スライド片と該ベースの間には、第三弾性部材を設置し、これにより該係合固定スライド片は、水平方向運動の回復力を生じる。
【００１０】
一実施形態において、該ベース上には、第二定位ブロックを設置し、該係合固定スライド片は、第三スライド槽を有する。
該第三スライド槽は、該第二定位ブロックを通過して設置され、該係合固定スライド片を案内し、該ベース上で水平にスライド移動させる。
【００１１】
一実施形態において、該位置限定部には第一導槽を設置し、該プッシュアセンブリには該第一導槽に対応するスライド動縁を設置する。
両者の対応により、該プッシュアセンブリは、該位置限定部上で、安定的にスライド移動し、該プッシュアセンブリの脱落を防止する。
【００１２】
一実施形態において、２個の該側壁の間は、底壁及び後壁を通して、両者を連接する。
【００１３】
一実施形態において、該プッシュアセンブリの表面には、プッシュボタンをさらに有する。
使用者は該プッシュアセンブリを動かすことで、さらに省力でき、及びヒューマンファクターテクノロジーに合致した構造を実現できる。
【００１４】
一実施形態において、該係合固定スライド片の片側には、係止片を設置し、電子カードの挿入時、一端は、該第一係止片に接触して押し、定位し、反対端は、該上係止片により接触して押され、係合定位される。
こうして、電子カードは挿入固定を完成させる。
【００１５】
一実施形態において、該収容設置空間の上方には、スライドガイド板をさらに設置し、該スライドガイド板片側と該スライド片とは接触し、同時に、該スライド片は該ベースに相対して前後方向の直線運動を行う。
【００１６】
一実施形態において、本考案によるコネクターは、回路基板、及び該回路基板上に位置するタクトスイッチを設置する。
該タクトスイッチは、該収容設置空間の後方に位置し、該スライドガイド板には、接触圧迫片を設置する。
該接触圧迫片は、該タクトスイッチの前方に相対し、該スライドガイド板が該ベースに相対して前後方向の直線運動を行うと、該接触圧迫片は、該タクトスイッチに接触して圧迫する。
【００１７】
本考案のコネクターに電子カードを挿入すると、電子カードはスライド片を連動し前から後ろへと直線運動を行わせ、スライド片は第一位置から第二位置へと移動する。
この時、係合固定スライド片の第二嵌着縁は、スライド片を第二位置に固定し、これにより、電子カードは挿入接続動作を完成させる。
電子カードを取り出す時には、水平にプッシュアセンブリを動かせば、係合固定スライド片を制御して直線運動を行わせ、スライド片に対する嵌着を解除できる。
こうして、スライド片は後ろから前へと直線運動を行い、スライド片は第二位置から第一位置へと移動し、同時に電子カードを連動して、抜き取り動作を完成する。
【図面の簡単な説明】
【００１８】
【図１】従来のコネクター構造の模式図である。
【図２】従来のコネクターの使用状態図である。
【図３】本考案の構造立体図である。
【図４】本考案の構造分解立体図である。
【図５】スライドガイド板、スライド片、係合固定スライド片及びプッシュアセンブリの構造分解図である。
【図６】係合固定スライド片の連動部とプッシュアセンブリとの組合せ状態図である。
【図７】本考案の使用状態図（一）で、電子カードが挿入された状態を示す。
【図８】本考案の使用状態図（二）で、電子カードが取り出された状態を示す。
【図９】本考案による位置限定部とプッシュアセンブリの別の方向からの構造立体図である。
【考案を実施するための形態】
【００１９】
（一実施形態）
図３〜図７、図９に示す通り、本考案によるコネクター構造は、ベース１０、スライド片２０、係合固定スライド片３０及びプッシュアセンブリ４０により構成される。
【００２０】
ベース１０は、&#32085;縁材料により製造され、ベース１０は、電子カード６０を挿入する収容設置空間１１を有する。
ベース１０の両側には、それぞれ側壁１２を形成し、２個の側壁１２の間は、底壁１３及び後壁１４を通して、両者を連接する。
一方の側壁１２の底縁には、位置限定部１５を設置し、位置限定部１５は、第一スライド槽１６を有し、第一スライド槽１６上には、係止壁１７を設置する。
【００２１】
スライド片２０は、ベース１０の片側に設置し、スライド片２０には、第一係止片２１及び第一弾性部材２２を設置する。
第一弾性部材２２の片側は、ベース１０反対側に固定され、スライド片２０上に設置される。
第一係止片２１は、電子カード６０に接触して押し、スライド片２０を連動して、ベース１０上で前後方向の直線運動を行わせる。
第一弾性部材２２は、直線運動の回復力を提供する。
【００２２】
係合固定スライド片３０は、ベース１０の位置限定部１５上方に組み立てられ、ベース１０上で、水平方向のスライド移動を生じる。
係合固定スライド片３０は、第一、第二嵌着縁３１、３２を有する。
第一嵌着縁３１により、スライド片２０は第一位置Ｐ１に定位され、第二嵌着縁３２により、スライド片２０は、第二位置Ｐ２に嵌着固定される。
係合固定スライド片３０下方には、連動部３３を突出状に設置する。
さらに、本考案は電子カード６０が抜かれた後、自動的に復位する構造を提供する。
それは、ベース１０上に、第二定位ブロック１８を設置する。
係合固定スライド片３０は、第三スライド槽３４を有する。
第三スライド槽３４は、第二定位ブロック１８を通過して設置され、係合固定スライド片３０を案内し、ベース１０上で水平にスライド移動させる。
しかも、係合固定スライド片３０とベース１０との間には、第三弾性部材３５を設置し、係合固定スライド片３０に、水平方向運動の回復力を提供する。
カードを抜いた後、第一弾性部材２２及び第三弾性部材３５により、スライド片２０は、第二位置Ｐ２から第一位置Ｐ１へと回復する。
【００２３】
プッシュアセンブリ４０は、ベース１０の位置限定部１５に組み立てる。
プッシュアセンブリ４０には、第二スライド槽４１を設置する。
第二スライド槽４１内には、第一定位ブロック４２を有する。
第一定位ブロック４２は、第二弾性部材４３に嵌めて設置し、第二スライド槽４１内には、連動ブロック４４を設置する。
連動ブロック４４には、係合固定スライド片３０の連動部３３に嵌合し、係合固定スライド片３０の水平スライド移動を連動する。
第二弾性部材４３は、第一スライド槽１６の係止壁１７に接触して押し、プッシュアセンブリ４０に水平スライド移動の回復力を提供する。
さらに、プッシュアセンブリ４０には、第一導槽１９に対応するスライド動縁４６を設置する。
両者の対応により、プッシュアセンブリ４０は、位置限定部１５上で、安定的にスライド移動し、プッシュアセンブリ４０の脱落を防止する。
しかも、プッシュアセンブリ４０の表面には、プッシュボタン４５をさらに有し、使用者はプッシュアセンブリ４０を動かすことで、さらに省力でき、及びヒューマンファクターテクノロジーに合致した構造を実現できる。
【００２４】
本考案のベース１０上方には、スライドガイド板５０をさらに設置し、相対して、収容設置空間１１の上方に位置する。
スライドガイド板５０の両側は、スライド動方式で、両側の側壁１２間に設置され、しかもスライドガイド板５０片側とスライド片２０は接触し、同時に、スライド片２０はベース１０に相対して前後方向の直線運動を行う。
スライドガイド板５０は、収容設置空間１１に向かい、第二係止片５１を形成する。
例えば、第二係止片５１は、スライドガイド板５０の下で、しかも後壁１４に近い位置に垂直に立ち、第一係止片２１と第二係止片とは相互に接触し、しかも第二係止片５１は、第一係止片２１に比べ、収容設置空間１１の前方に近い。
【００２５】
図７に示す通り、本考案の使用方式は、電子カード６０を本考案のコネクターに挿入しようとする時には、電子カード６０により第一係止片２１を押し、スライド片２０を連動して前から後ろへと直線運動を行わせる。
これにより、スライド片２０は、第一位置Ｐ１から第二位置Ｐ２へと移動する。
第一位置Ｐ１は、スライド片２０の片側で、第一嵌着縁３１の嵌着固定を受ける位置である。
第二位置Ｐ２は、スライド片２０の片側で、第二嵌着縁３１の嵌着固定を受ける位置である。
第一位置Ｐ１は、第二位置Ｐ２に比べ、収容設置空間１１の前方に近い。
スライド片２０が前から後ろへと直線運動を行う時、係合固定スライド片３０は、第三弾性部材３５の作用を受け、収容設置空間１１内（図７は左方向を示す）へと移動する。
最後に、第二嵌着縁３２により、スライド片２０を第二位置Ｐ２に固定する。
これにより、電子カード６０は挿入接続動作を完成させる。
さらに、電子カード６０一端は、第一係止片２１に接触して押し、反対端は、上係止片３６により接触して押され、係合定位される。
こうして、電子カード６０は挿入固定を完成させる。
この時、プッシュアセンブリ４０は同時に、係合固定スライド片３０の動作を受けて左側へと移動する。
【００２６】
図８に示す通り、電子カード６０を取り出す時には、プッシュアセンブリ４０のプッシュボタン４５を押しさえすれば、連動部３３は、嵌合する連動ブロック４４に従い、同期に横向き移動を行う。
こうして、係合固定スライド片３０の直線運動を制御し、スライド片２０に対する嵌着を解除する。
これにより、係合固定スライド片３０は、収容設置空間１１外（図８は、右方向を示す）へと移動し、第三弾性部材３５は伸びた状態を形成する。
こうして、スライド片２０は、第一弾性部材２２の回復力を受け、後ろから前へと直線運動を行い、スライド片２０は、第二位置Ｐ２から第一位置Ｐ１へと移動し、同時に、電子カード６０を連動して抜き取り動作を完成する。
【００２７】
図１〜図８に示す通り、本考案はさらに、回路基板７０、及び回路基板７０上に位置するタクトスイッチ７１を設置する。
タクトスイッチ７１は、収容設置空間１１の後方の、底壁１３に近い箇所に位置する。
スライドガイド板５０には、接触圧迫片を設置する。
接触圧迫片は、タクトスイッチ７１の前方に相対し、電子カード６０が第一係止片２１を押し、スライド片２０を連動して、前から後ろへと直線運動を行わせる時、同時に図７に示す通り、同時に、スライドガイド板５０を連動し、ベース１０に相対して前後方向の直線運動を行わせ、接触圧迫片は、タクトスイッチ７１に接触して圧迫し、こうして触動の効果を達成する。
【００２８】
前述した本考案の実施形態は本考案を限定するものではなく、よって、本考案により保護される範囲は後述される実用新案登録請求の範囲を基準とする。
【符号の説明】
【００２９】
１０  ベース、
１１  収容設置空間、
１２  側壁、
１３  底壁、
１４  後壁、
１５  位置限定部、
１６  第一スライド槽、
１７  係止壁、
１８  第二定位ブロック、
１９  第一導槽、
２０  スライド片、
２１  第一係止片、
２２  第一弾性部材、
３０  係合固定スライド片、
３１  第一嵌着縁、
３２  第二嵌着縁、
３３  連動部、
３４  第三スライド槽、
３５  第三弾性部材、
３６  上係止片、
４０  プッシュアセンブリ、
４１  第二スライド槽、
４２  第一定位ブロック、
４３  第二弾性部材、
４４  連動ブロック、
４５  プッシュボタン、
４６  スライド動縁、
５０  スライドガイド板、
５１  第二係止片、
６０  電子カード、
７０  回路基板、
７１  タクトスイッチ、
Ｐ１  第一位置、
Ｐ２  第二位置、
９１  電子カード、
９２  スライド片、
９３  係合固定スライド片、
９４  プッシュアセンブリ、
Ｈ１  第一位置、
Ｈ２  第二位置。
【図１】
0003213286.tif 000003
【図２】
0003213286.tif 000004
【図３】
0003213286.tif 000005
【図４】
0003213286.tif 000006
【図５】
0003213286.tif 000007
【図６】
0003213286.tif 000008
【図７】
0003213286.tif 000009
【図８】
0003213286.tif 000010
【図９】
0003213286.tif 000011
【手続補正書】
【提出日】平成29年9月1日(2017.9.1)
【手続補正１】
【補正対象書類名】実用新案登録請求の範囲
【補正対象項目名】請求項１
【補正方法】変更
【補正の内容】
【請求項１】
コネクター構造であって、ベース、スライド片、係合固定スライド片、プッシュアセンブリにより構成され、
前記ベースは、電子カードを挿入する収容設置空間を有し、前記ベースの両側には、それぞれ側壁を形成し、一方の側壁の底縁には、位置限定部を設置し、前記位置限定部は、第一スライド槽を有し、前記第一スライド槽上には、係止壁を設置し、前記スライド片は、前記ベースの片側に設置し、前記スライド片には、第一係止片及び第一弾性部材を設置し、前記第一弾性部材の片側は、前記ベース反対側に固定され、前記スライド片上に設置され、前記第一係止片は、前記電子カードに接触して押し、前記スライド片を連動して、前記ベース上で前後方向の直線運動を行わせ、前記第一弾性部材は、直線運動の回復力を提供し、
前記係合固定スライド片は、前記ベースの位置限定部上方に組み立てられ、前記ベース上で、水平方向のスライド移動を生じ、前記係合固定スライド片は、第一、第二嵌着縁を有し、前記第一嵌着縁により、前記スライド片は第一位置に定位され、前記第二嵌着縁は前記スライド片を第二位置に嵌着固定し、前記係合固定スライド片下方には、連動部を突出状に設置し、
前記プッシュアセンブリは、前記ベースの位置限定部に組み立て、前記プッシュアセンブリには、第二スライド槽を設置し、前記第二スライド槽内には、第一定位ブロックを有し、前記第一定位ブロックは、第二弾性部材に嵌めて設置し、前記第二スライド槽内には、連動ブロックを設置し、前記連動ブロックには、前記係合固定スライド片の連動部に嵌合し、前記係合固定スライド片の水平スライド移動を連動し、前記第二弾性部材は、前記第一スライド槽の係止壁に接触して押し、前記プッシュアセンブリに水平スライド移動の回復力を提供することを特徴とするコネクター構造。